(57)【要約】【課題】コストアップや大型化を招くことなく通信距離を延ばすことができるメモリカード用ソケットを提供する。【解決手段】ソケット１には、主平面に沿う平面内でループ状に形成された内蔵アンテナ１００を有し、内蔵アンテナ１００を介して外部と非接触通信によりデータを授受するメモリカードＭＣが挿抜自在に装着される。このソケット１は、メモリカードＭＣが挿入されるカード挿入口２ａおよびカード挿入口２ａを通してメモリカードＭＣの少なくとも一部を挿抜自在に受け入れるカード収容部を具備したケース２を備えている。ケース２においてメモリカードＭＣの主平面に対向する面で、且つ、リーダライタ装置側の面を導電材料又は磁性材料の何れかで形成されたカバーシェル４で構成してあり、このカバーシェル４と一体に、メモリカードＭＣの主平面の法線方向において内蔵アンテナ１００の少なくとも一部と重なる２次アンテナ部１０ａを設けてある。【選択図】図１
2008083867.tif 000002
【特許請求の範囲】
【請求項１】
主平面に沿う平面内でループ状に形成された内蔵アンテナが一方の主平面に近接して配置され、内蔵アンテナを介してリーダライタ装置との間で非接触通信によりデータを授受するメモリカードが挿抜自在に装着されるメモリカード用ソケットであって、
メモリカードが挿入されるカード挿入口および当該カード挿入口を通してメモリカードの少なくとも一部を挿抜自在に受け入れるカード収容部を具備したケースを備え、当該ケースにおいてメモリカードの前記一方の主平面に対向する面で、且つ、リーダライタ装置側の面に、磁性材料又は導電材料の何れかで形成され、前記内蔵アンテナの少なくとも一部と重なる位置に配置される２次アンテナ部を設けたことを特徴とするメモリカード用ソケット。
【請求項２】
前記内蔵アンテナは平面視の形状が略ロ字形に形成されており、前記２次アンテナ部が、前記内蔵アンテナの少なくとも１つの辺と重なる位置に配置されたことを特徴とする請求項１記載のメモリカード用ソケット。
【請求項３】
前記２次アンテナ部が、前記内蔵アンテナの２辺以上と重なる位置に配置されたことを特徴とする請求項２記載のメモリカード用ソケット。
【請求項４】
前記ケースにおいてメモリカードの前記一方の主平面に対向する面で、且つ、リーダライタ装置側の面を、磁性材料又は導電材料の何れかで形成された金属シェルで構成し、前記２次アンテナ部を金属シェルと一体に設けたことを特徴とする請求項１乃至３の何れか１項に記載のメモリカード用ソケット。
【発明の詳細な説明】
【技術分野】
【０００１】
本発明は、ＳＤメモリカードやマルチメディアカード（ＭＭＣカード）のようなメモリカードに非接触通信によって外部とのデータ授受を行うＩＣカード機能を持たせたメモリカードを挿抜自在に接続するためのメモリカード用ソケットに関するものである。
【背景技術】
【０００２】
従来、デジタルカメラや携帯電話機などの電子機器におけるデータ記憶手段として、カード型のハウジングにフラッシュメモリのような不揮発性メモリを内蔵したメモリカード、例えばＳＤメモリカード（登録商標）やマルチメディアカード（登録商標）が急速に普及してきた。そして、かかるメモリカードを挿抜自在に接続するためのメモリカード用ソケットとして、前方に開口したカード挿入口を通してメモリカードが内部に挿入されるハウジングと、ハウジング内に設けられメモリカードが有する接続端子に接触導通する複数のコンタクトと、ハウジング内でメモリカードの挿抜方向にスライド自在に設けられカード挿入口から挿入されるメモリカードに連動してハウジング内をスライド移動するスライド部材と、ハウジングに対してカード挿入口に向かう向きにスライド部材を付勢する付勢ばねと、メモリカードの接続端子がコンタクトに接触する保持位置よりも奥のロック位置までスライド部材が押し込まれるとスライド部材のカード挿入口へ向かう向きへの移動を禁止するとともに、スライド部材がロック位置よりも奥まで一旦押し込まれた状態で押力が解除されるとスライド部材を解放するプッシュオン・プッシュオフ型のロック機構とを備えたものが従来より提供されている（例えば、特許文献１参照）。
【０００３】
上記のようにプッシュオン・プッシュオフ型のロック機構を備えたメモリカード用ソケットにメモリカードを接続する際は、メモリカードをハウジングに挿入して押し込むと、スライド部材がメモリカードを介して押力を受け、メモリカードの接続端子がコンタクトに接触する保持位置よりもやや奥のロック位置まで移動したときに、カード挿入口へ向かう向きへのスライド部材の移動がロック機構によって禁止され、メモリカードへの押力を除去した後にもメモリカードが保持位置に留まることになる。一方、メモリカードを抜く際には、ロック位置よりも少し奥にメモリカードを一旦押し込んでからメモリカードへの押力を除去すると、ロック機構がスライド部材を解放し、メモリカードがスライド部材を介して付勢ばねのばね力を受け、ハウジングから押し出される。
【０００４】
ところで、非接触通信によって外部との間でデータを授受するＩＣカード機能を持たせたメモリカード（例えば、「SmartＳＤ」）が今後普及すると予測される。かかるＩＣカード機能付きのメモリカードには非接触通信用のアンテナが内蔵されているが、メモリカード自体が小型であるために内蔵アンテナも必然的に小型になり、通信距離の確保が重要な課題となる。例えば特許文献２には、アンテナを内蔵したクレジットカード型のアダプタにＩＣカード機能付きメモリカードを装着することで通信距離を確保する技術が開示されている。
【特許文献１】特開２００５−２６０１６号公報
【特許文献２】特開２００２−２７９３７７号公報
【発明の開示】
【発明が解決しようとする課題】
【０００５】
しかしながら、特許文献２に記載されている従来例のようにクレジットカード型のアダプタを使用した場合、従来のメモリカード用ソケットには装着することができず、専用のソケットを新たに設計し直す必要があり、ソケットが大型化するとともにコストが大幅に増大するという問題があった。
【０００６】
本発明は上記問題点に鑑みて為されたものであり、その目的とするところは、コストアップや大型化を招くことなく通信距離を延ばすことができるメモリカード用ソケットを提供することにある。
【課題を解決するための手段】
【０００７】
上記目的を達成するために、請求項１の発明は、
主平面に沿う平面内でループ状に形成された内蔵アンテナが一方の主平面に近接して配置され、内蔵アンテナを介してリーダライタ装置との間で非接触通信によりデータを授受するメモリカードが挿抜自在に装着されるメモリカード用ソケットであって、
メモリカードが挿入されるカード挿入口および当該カード挿入口を通してメモリカードの少なくとも一部を挿抜自在に受け入れるカード収容部を具備したケースを備え、当該ケースにおいてメモリカードの一方の主平面に対向する面で、且つ、リーダライタ装置側の面に、磁性材料又は導電材料の何れかで形成され、内蔵アンテナの少なくとも一部と重なる位置に配置される２次アンテナ部を設けたことを特徴とする。
【０００８】
請求項２の発明は、請求項１の発明において、内蔵アンテナは平面視の形状が略ロ字形に形成されており、２次アンテナ部が、内蔵アンテナの少なくとも１つの辺と重なる位置に配置されたことを特徴とする。
【０００９】
請求項３の発明は、請求項２の発明において、２次アンテナ部が、内蔵アンテナの２辺以上と重なる位置に配置されたことを特徴とする。
【００１０】
請求項４の発明は、請求項１乃至３の何れかの発明において、ケースにおいてメモリカードの一方の主平面に対向する面で、且つ、リーダライタ装置側の面を、磁性材料又は導電材料の何れかで形成された金属シェルで構成し、２次アンテナ部を金属シェルと一体に設けたことを特徴とする。
【発明の効果】
【００１１】
請求項１の発明によれば、
ケースにおいてメモリカードの一方の主平面に対向する面で、且つ、リーダライタ装置側の面に配置された２次アンテナ部が、メモリカードの内蔵アンテナの少なくとも一部と重なっているので、メモリカードの一方の主平面に対向する面で、リーダライタ装置側の面に磁界（磁束）が集まりやすくなり、リーダライタ装置の磁界（磁束）が引き込まれることによって、メモリカードの内蔵アンテナに対してブースターアンテナ（２次アンテナ）の役割を果たし、その結果メモリカードとリーダライタ装置との間の非接触通信の性能が向上して、通信距離を延ばすことができるという効果がある。しかも２次アンテナ部は、メモリカードの内蔵アンテナと重なる位置に設けられているので、ソケットが大型化することはなく、したがってソケットを新たに設計し直す必要がないからコストアップを招くことがないという効果もある。
【００１２】
請求項２の発明によれば、２次アンテナ部が、略ロ字形に形成された内蔵アンテナの少なくとも１つの辺と重なる位置に配置されているので、この２次アンテナ部が、請求項１の発明と同様、メモリカードの内蔵アンテナに対してブースターアンテナ（２次アンテナ）の役割を果たし、その結果メモリカードとリーダライタ装置との間の非接触通信の性能が向上し、通信距離を延ばすことができるという効果がある。
【００１３】
請求項３の発明によれば、２次アンテナ部が、略ロ字形に形成された内蔵アンテナの２辺以上と重なる位置に配置されているので、メモリカードの内蔵アンテナに対するブースターアンテナ（２次アンテナ）の役割がさらに大きくなり、メモリカードとリーダライタ装置との間の非接触通信の性能が向上し、通信距離をさらに延ばすことができるという効果がある。
【００１４】
請求項４の発明によれば、２次アンテナ部が、ケースを構成する金属シェルと一体に設けられているので、部品点数を減らして、組立作業性を向上させることができる。
【発明を実施するための最良の形態】
【００１５】
以下に本発明の実施の形態を図面に基づいて説明する。
【００１６】
本発明に係るメモリカード用ソケットの実施形態を、電子機器等（図示せず）に設けられ、内蔵したアンテナを介した非接触通信により外部のリーダライタ装置との間でデータを授受するＩＣカード機能付きのＳＤメモリカード（登録商標）のようなメモリカードが挿抜自在に装着されるソケットを例に、図１〜図４を参照して説明する。尚、以下の説明では図１における上下の向きをそれぞれ上向き及び下向きと規定し、左斜め上方の向きを左向き、右斜め下方の向きを右向き、左斜め下方の向きを前向き、右斜め上方の向きを後向きと規定して説明を行う。
【００１７】
図３に示すように、本実施形態で用いるメモリカードＭＣは従来周知のＳＤメモリカード（登録商標）に内蔵アンテナ（ループコイル）１００並びに内蔵アンテナ１００を介した非接触通信により外部とのデータ授受を行う集積回路（ＩＣ）を内蔵してなり、外周形状が略矩形状であって、後側の上面に複数個（８個）の接続端子１０１が左右に並べて設けられている。内蔵アンテナ１００はメモリカードＭＣの主平面に沿う平面内でループ状に形成され、平面視の形状が略ロ字形に形成されており、メモリカードＭＣの内部空間においてメモリカードＭＣの一方の主表面（リーダライタ装置側の面であって図１の上面）に近接させて配置されている。またメモリカードＭＣの内部には、他方の主表面に近接させて上述の集積回路などを実装した回路基板（図示せず）が配置されており、この回路基板と内蔵アンテナ１００の間には磁性シート（図示せず）が配置されている。
【００１８】
また、メモリカードＭＣの後部（挿入側）の一方の角（左後ろの角）を落として逆差し防止用の傾斜カット部１０２を形成してあり、メモリカードＭＣの左側縁には、傾斜カット部１０２よりもやや前側の部位に矩形状に陥没したロック用切欠（図示せず）が設けられている。さらにメモリカードＭＣの右側縁には、手操作で摘みを前後にスライドさせることでデータの書き込み可能・禁止を切り替えるライトプロテクトスイッチ１０３が設けられている。
【００１９】
次に本実施形態のメモリカード用ソケット（以下、ソケットと略称する。）１について詳細に説明する。このソケット１は、非接触通信機能を持たない従来のソケットとほぼ同様の構成及び機能を有しており、メモリカードＭＣをカード挿入口２ａを通してカード収容部２ｂ内部に挿入し押し込むことで、当該メモリカードＭＣが所定のロック位置に保持され、その後ロック位置よりも奥まで一旦押し込んだ状態で押力を解除すると、メモリカードＭＣのロックが解除されてメモリカードＭＣがカード挿入口２ａから押し出されるようになっている。すなわちソケット１は所謂プッシュオン・プッシュオフ機能を有している。
【００２０】
図１及び図３は本実施形態の外観斜視図、図４は本実施形態の分解斜視図であり、このソケット１は、一側面（挿入方向手前側の前面）に細長い帯状のカード挿入口２ａが開口した扁平な箱状のケース２と、ケース２の内部にカード挿入口２ａに連通して設けられたカード収容部２ｂ内でカード挿入口２ａ側と奥側との間で進退自在に配置されたスライダ５と、スライダ５をカード挿入口２ａ側に付勢するコイルスプリング６と、カード収容部２ｂの奥側に左右方向に並べて配列され、メモリカードＭＣの接続端子１０１にそれぞれ電気的に接続される複数本（９本）の接触端子７とを備えている。
【００２１】
ケース２は、絶縁性を有する合成樹脂成型品からなるベースシェル３と、導電材料又は磁性材料の何れかで、且つ、熱伝導性の良好な金属薄板（本実施形態では例えばステンレススチール）により形成されたカバーシェル４とを相互に結合して構成されている。
【００２２】
ベースシェル３は、平板状であって前縁の中央部に切欠３ｂを設けることによって平面視の形状が略コ字形に形成された底板部３ａと、底板部３ａの後部から上側に向かって立設されカード収容部２ｂのカード挿入方向奥側端を閉塞する奥壁部３ｃと、底板部３ａの左右両側部からそれぞれ上側に向かって立設されカード収容部２ｂの左右の壁をなす一対の側壁部３ｄ，３ｅとを一体に備えており、各側壁部３ｄ，３ｅの外側面には、後述するカバーシェル４の係止孔４ｄにそれぞれ係止する係止爪３ｆが複数個突設されている。
【００２３】
またカバーシェル４は、平板状であって前縁の中央部に切欠４ｂを設けることによって平面視の形状が略コ字形に形成された天板部４ａを備え、天板部４ａの幅方向両側辺からそれぞれ側方に延長形成された突出部分を略直角に折り曲げて複数の係止片４ｃを形成してあり、各係止片４ｃにはベースシェル３の係止爪３ｆが係止する係止孔４ｄをそれぞれ形成してある。ここにおいて、天板部４ａの切欠４ｂが設けられた部位の前縁は、カード収容部２ｂ内にメモリカードＭＣを収容した状態で、メモリカードＭＣに内蔵されたロ字形の内蔵アンテナ１００の後側の辺１００ａよりも前側に位置しており、内蔵アンテナ１００の後側辺１００ａは天板部４ａの一部（２次アンテナ部１０ａ）によって覆われている。
【００２４】
而してカバーシェル４は、左右両側部に設けた係止片４ｃの係止孔４ｄをベースシェル３に設けた係止爪３ｆと係止させることで、ベースシェル３の上側開口を覆うように取り付けられるのである（図１および図３参照）。そして、ベースシェル３とカバーシェル４とを結合して一体化することによりケース２が形成される。この時、ベースシェル３において奥壁部３ｃと反対側の端部がカード収容部２ｂの入口（つまりカード挿入口２ａ）となり、メモリカードＭＣはカード挿入口２ａを通してカード収容部２ｂ内に挿入されるのである。
【００２５】
スライダ５は、カード収容部２ｂの内部に、カード挿入口２ａ側と奥側との間（つまり前後方向）に進退可能な状態で取着されている。このスライダ５は、メモリカードＭＣの先端面１０４に当接する奥壁部５ａと、傾斜カット部１０２に当接する角壁部５ｂと、メモリカードＭＣの左側部に当接する側壁部５ｃとを一体に備えて、平面視の形状が略Ｌ字状に形成されている。そして、カード挿入口２ａを通してカード収容部２ｂにメモリカードＭＣが挿入されると、メモリカードＭＣの先端面１０４および傾斜カット部１０２が、それぞれ奥壁部５ａおよび角壁部５ｂの内壁に衝合するとともに、その状態でメモリカードＭＣが図示しない係止機構によってスライダ５に係止され、保持されるようになっており、この保持状態でメモリカードＭＣはスライダ５とともにカード収容部２ｂ内を前後方向に進退するのである。なお、カバーシェル４の天板部４ａの奥側部分には、スライダ５がメモリカードＭＣとともにカード収容部２ｂ内の奥側に移動して、メモリカードＭＣの接続端子１０１に対応する接触端子７が弾接した際に、メモリカードＭＣと反対側に撓められた接触端子７がケース２（すなわち天板部４ａ）と干渉するのを避けるための逃がし孔９が各接触端子７に対応して複数個（本実施形態では８個）形成されている。
【００２６】
ここにおいて、カード収容部２ｂ内におけるスライダ５の位置は、図示しないハートカム機構と、スライダ５をカード挿入口２ａ側に付勢するコイルスプリング６とを含む従来周知のプッシュオン・プッシュオフ機構によって制御される。ハートカム機構は、一例としてスライダ５又はケース２（ベースシェル３）のうち何れか一方にガイド溝を設けるとともに、スライダ５又はケース２の他方にガイド溝内に案内される案内子を設けることによって構成される。ハートカム機構を構成するガイド溝は、その所定区間をスライダ５の前後動に応じて案内子を一方向に案内する経路とし、その経路によって囲まれる部位に平面視ハート形のハートカムを設けてあり、ロック位置においてハートカムの凹部に案内子を係止させることで、スライダ５をロック位置に保持し前方への移動を規制するようになっている。
【００２７】
またコイルスプリング６は、本実施形態では引張ばねとして機能し、ベースシェル３の側壁部３ｄにおけるカード挿入口２ａ側の部位に設けた突起３ｇと、スライダ５の側壁部５ｃに設けた突起５ｄとの間に懸架され、スライダ５に対してカード収容部２ｂの入口側（つまりカード挿入口２ａ側）に付勢する付勢力を作用させている。
【００２８】
接触端子７は、それぞれ弾性および導電性を有する金属材料により短冊状に形成されて、ベースシェル３の奥壁部３ｃに固定されており、カード収容部２ｂの内部で、その奥側からカード挿入口１ｂ側に向かって延出している。各接触端子７のカード挿入口２ａ側の端部７ａは略く字形に折曲されており、カード収容部２ｂ内に挿入されたメモリカードＭＣの接続端子１０１に弾接する。一方、各接触端子７の反対側の端部７ｂは、奥壁部３ｃの後面から突出し、その先端側はベースシェル３の下面と平行な方向に延出しており、この先端側が電子機器に設けられた回路基板等に半田付けされる端子となっている。なお、接触端子７は、ベースシェル３の奥壁部３ｃにインサート成形によって固定しても良いし、圧入などの方法で固定しても良い。
【００２９】
ところで、メモリカードＭＣは内蔵アンテナ１００および集積回路を内蔵し、外部のリーダライタ装置との間で非接触通信によりデータを授受する機能を備えているが、本実施形態のソケット１では、メモリカードＭＣの通信性能を向上させ、通信可能距離を延ばすために、メモリカードＭＣをカード収容部２ｂ内に収容するケース２において、メモリカードＭＣの主平面（すなわち内蔵アンテナ１００が近接して配置された側の主表面（上面））に対向する面であって、リーダライタ装置側の面（上面）を導電材料又は磁性材料の何れかで形成されたカバーシェル４で構成し、このカバーシェル４と一体に、メモリカードＭＣの主平面の法線方向において内蔵アンテナ１００の後側辺１００ａと重なる２次アンテナ部１０ａを設けている。
【００３０】
したがって、ソケット１のカード収容部２ｂ内にメモリカードＭＣが収容された状態では、カバーシェル４と一体に設けた２次アンテナ部１０ａが、メモリカードＭＣの内蔵アンテナ１００の後側辺１００ａとメモリカードＭＣの主平面（上面）の法線方向において重なるので、メモリカードＭＣの主平面に対向する面で、リーダライタ装置側の面に磁界（磁束）が集まりやすくなり、リーダライタ装置の磁界（磁束）が引き込まれることによって、メモリカードＭＣの内蔵アンテナ１００に対してブースターアンテナ（２次アンテナ）の役割を果たし、その結果メモリカードＭＣとリーダライタ装置との間の非接触通信の性能が向上し、通信距離を延ばすことができる。
【００３１】
ところで、上記実施形態のソケット１では、メモリカードＭＣが内蔵する内蔵アンテナ１００の１つの辺１００ａと上下方向（つまりメモリカードＭＣの主表面の法線方向）において重なり合う２次アンテナ部１０ａをカバーシェル４と一体に設けているが、内蔵アンテナ１００の少なくとも一部と重なる部位に２次アンテナ部を設けることで、非接触通信の通信性能を向上させることができる。
【００３２】
例えば図５および図６（ａ）に示すように内蔵アンテナ１００の左右の辺１００ｂ，１００ｃと上下方向において重なり合う２次アンテナ部１０ｂ，１０ｃをカバーシェル４と一体に設けても良い。この場合は、天板部４ａの切欠４ｂが設けられた部位の前縁は、カード収容部２ｂ内にメモリカードＭＣを収容した状態で、メモリカードＭＣの内蔵アンテナ１００の後側辺１００ａよりも後側に位置し、且つ、切欠４ｂが設けられた部位の左右の側縁は、内蔵アンテナ１００の左右の辺１００ｂ，１００ｃよりも内側に位置しており、内蔵アンテナ１００の後側辺１００ａは露出する一方、左右両側辺１００ｂ，１００ｃが２次アンテナ部１０ｂ，１０ｃによって覆われているので、図１のソケット１に比べて、内蔵アンテナ１００に対するブースタアンテナの役割がより大きくなり、メモリカードＭＣとリーダライタ装置との間の通信距離をさらに延ばすことができる。
【００３３】
また、図６（ｃ）に示すように内蔵アンテナ１００の後側の辺１００ａと左右の辺１００ｂ，１００ｃとにそれぞれ上下方向において重なり合う２次アンテナ部１０ａ，１０ｂ，１０ｃをカバーシェル４と一体に設けても良い。この場合、天板部４ａの切欠４ｂが設けられた部位の前縁は、カード収容部２ｂ内にメモリカードＭＣを収容した状態で、メモリカードＭＣの内蔵アンテナ１００の後側辺１００ａよりも前側に位置し、且つ、切欠４ｂが設けられた部位の左右の側縁は、内蔵アンテナ１００の左右の辺１００ｂ，１００ｃよりも内側に位置しており、内蔵アンテナ１００の後側辺１００ａと左右両側辺１００ｂ，１００ｃとがそれぞれ２次アンテナ部１０ａ，１０ｂ，１０ｃによって覆われているので、図１のソケット１に比べて、内蔵内蔵アンテナ１００に対するブースタアンテナの役割がより大きくなり、メモリカードＭＣとリーダライタ装置との間の通信距離をさらに延ばすことができる。
【００３４】
ここで、２次アンテナ部の効果を検証するために、内蔵アンテナ１００と法線方向において重なる部位がないカバーシェル３を用い、２次アンテナ部をカバーシェル３と一体に形成する代わりに、２次アンテナ部の役割を果たす銅テープ２０（幅が約６ｍｍ）がカバーシェル３’に貼着されていない場合と、カバーシェル３’においてメモリカードＭＣの主平面（内蔵内蔵アンテナ１００が近接配置された側の主平面）に対向する面の所定位置に銅テープ２０を貼り付けた場合とで、リーダライタ装置との間の通信距離を測定した結果を以下の表１、表２に示す。なおこの場合は銅テープ２０とカバーシェル３’との間に粘着層が介在するため、銅テープ２０とカバーシェル３’とは電気的に絶縁されている。また表１，表２において上段のデータは、ケース２の上面のみが金属シェルで構成された本実施形態のソケット１（このようなソケット１をＡタイプと言う。）のデータであり、下段のデータは、ケース２の上面および下面が金属シェルで構成されたソケット１（このようなソケット１をＢタイプと言う。）のデータである。
【００３５】
【表１】
2008083867.tif 000003
【００３６】
【表２】
2008083867.tif 000004
【００３７】
表１中のデータａは、カードシェル３’に銅テープを貼り付けていない場合のデータを示しており、この場合、Ａタイプのソケット１では通信距離が６６ｍｍ、Ｂタイプのソケット１では通信距離が６２ｍｍであった。一方、表１のデータｂ〜ｅは、ロ字形の内蔵アンテナ１００の１つの辺に重なる部位に銅テープ２０を貼り付けた場合のデータであり、Ａタイプのソケット１では通信距離が７２〜７４ｍｍ、Ｂタイプのソケット１では通信距離が６７〜６９ｍｍとなっており、何れのタイプのソケットでも通信距離が延びている。
【００３８】
また表２のデータｆ，ｇは、内蔵アンテナ１００の２つの辺に重なる部位に銅テープ２０を貼り付けた場合のデータであり、Ａタイプのソケット１では通信距離が７６ｍｍ、Ｂタイプのソケット１では通信距離が６９〜７０ｍｍとなっており、何れのタイプのソケット１でも銅テープを貼り付けていない場合（データａ）や１つの辺に重なる部位のみに銅テープ２０を貼り付けた場合（データｂ〜ｅ）に比べて通信距離が延びている。
【００３９】
また表２のデータｈ，ｉは、内蔵アンテナ１００の３つの辺に重なる部位に銅テープ２０を貼り付けた場合のデータであり、Ａタイプのソケット１では通信距離が７６〜７７ｍｍ、Ｂタイプのソケット１では通信距離が７１ｍｍとなっており、何れのタイプのソケット１でも銅テープを貼り付けていない場合（データａ）や、１つの辺又は２つの辺に重なる部位のみに銅テープ２０を貼り付けた場合（データｂ〜ｇ）に比べて通信距離が延びている。
【００４０】
また更に表２のデータｊは、内蔵アンテナ１００の４辺全てに重なる部位に銅テープ２０を貼り付けた場合のデータであり、Ａタイプのソケット１では通信距離が７６ｍｍ、Ｂタイプのソケット１では通信距離が７０ｍｍとなっており、何れのタイプのソケット１でも銅テープを貼り付けていない場合（データａ）や、１つの辺に重なる部位のみに銅テープ２０を貼り付けた場合（データｂ〜ｇ）に比べて通信距離が延びている。なお２つの辺又は３つの辺に重なる部位に銅テープ２０を貼り付けた場合と比較すると通信距離は同程度であった。
【００４１】
以上の測定結果より内蔵アンテナ１００の少なくとも一部と重なる部位に２次アンテナ部１０ａ…を設けることで、ソケット１の通信距離を延ばすことができ、また内蔵アンテナ１００の２辺以上と重なる部位に２次アンテナ部１０ａ…を設けることで、１辺のみに重なる部位に２次アンテナ部１０ａ…を設けた場合に比べて、通信距離をさらに延ばすことができる。なお本実施形態では２次アンテナ部１０ａ…をカバーシェル３と一体に設けているので、部品点数を少なくして組立作業性が向上するという利点があるが、表１、表２で説明したように導電材料又は磁性材料の何れかによりカバーシェル３’と別体に形成された２次アンテナ部（表１、表２の例では銅テープ２０）を、カバーシェル３’の所定位置に貼着などの方法で固定しても良く、２次アンテナ部１０ａ…をカバーシェル３と一体に設けた場合と同様に絶縁距離を延ばすことができる。
【００４２】
なお、本発明の精神と範囲に反することなしに、広範に異なる実施形態を構成することができることは明白なので、この発明は、特定の実施形態に制約されるものではない。
【図面の簡単な説明】
【００４３】
【図１】本実施形態のメモリカード用ソケットにメモリカードを装着した状態の外観斜視図である。
【図２】同上にメモリカードを装着した状態の平面図である。
【図３】同上にメモリカードを装着する前の状態の外観斜視図である。
【図４】同上の分解斜視図である。
【図５】同上の他の形態を示し、メモリカードを装着した状態の外観斜視図である。
【図６】（ａ）（ｂ）は同上にメモリカードを装着した状態の平面図である。
【符号の説明】
【００４４】
１  ソケット（メモリカード用ソケット）
２  ケース
２ａ  カード挿入口
２ｂ  カード収容部
３  ベースシェル
４  カバーシェル（金属シェル）
１０ａ  ２次アンテナ部
１００  内蔵アンテナ
ＭＣ  メモリカード
【図１】
2008083867.tif 000005
【図２】
2008083867.tif 000006
【図３】
2008083867.tif 000007
【図４】
2008083867.tif 000008
【図５】
2008083867.tif 000009
【図６】
2008083867.tif 000010